(57)【要約】【課題】  収納装置としての強度の保持においても良好な、組み立て容易性と収納空間の可変性をも備えた収納装置を提供する。【解決手段】  壁面１に対して床面と平行に取付けられて水平固定された複数のハンギングレール材３とこれに固定される棚板４並びに棚板４に係止される側板もしくは仕切り板とを備え、ハンギングレール材３の前方より棚板４後端部の係合金具４１が差込まれて棚板４がハンギングレール材３に引掛け固定され、棚板４の側端部においてのみ側板もしくは仕切り板が取付け係止されている収納装置とする。【選択図】図１
2007289418.tif 000002
【特許請求の範囲】
【請求項１】
壁面に対して床面と平行に取付けられて水平固定された複数のハンギングレール材とこれに固定される棚板並びに棚板に係止される側板もしくは仕切り板とを備え、ハンギングレール材の前方より棚板後端部の係合金具が差込まれて棚板がハンギングレール材に引掛け固定され、棚板の側端部においてのみ側板もしくは仕切り板が取付け係止されていることを特徴とする収納装置。
【請求項２】
棚板に埋設された連結部と側板もしくは仕切り板の穴部に取付けられた連結具とにより、棚板側端部において側板もしくは仕切り板が取付け係止されていることを特徴とする請求項１記載の収納装置。
【発明の詳細な説明】
【技術分野】
【０００１】
本発明は、居間やキッチン、玄関等での収納に有用な収納装置に関するものである。
【背景技術】
【０００２】
従来より、居間やキッチン、あるいは玄関等においてはボックス型の各種の収納装置が用いられている。これらの従来のボックス型収納装置では、通常、側板、背板、天板、地板からなる収納ユニットをビスやダボ、接着剤等で組立て、次いで仕切り板を取付け固定し、棚板を配置するようにしている。
【０００３】
しかしながら、これら従来の装置では、その強度の点において背板を必要とし、組立てには時間を要するだけでなく、側板、仕切り板、さらには所定位置の棚板が固定されているため、一旦組上げてしまうと、収納物の増減やその内容の変更があっても、ユニット全体、そして収納空間の大きさや形状を変えることが難しいという問題があった。
【０００４】
そこで、このような問題点を解消するための方策として、背板を必要とすることなく、収納部、収納空間の大きさや形状の変更を容易とするために、壁面に対して床面と平行にハンギングレールを取付け固定し、このハンギングレールに側板や仕切り板をその後端切欠き部において係止吊下げ、次いでこのようにして吊下げられた側板や切り板に棚板を取付け固定するようにした収納装置が提案されている（特許文献１−３）。
【０００５】
だが、この提案されている収納装置では、ボックス型収納装置のように背板を使用する必要がなく、接着剤もほとんど必要とせずに、収納部、収納空間の可変性を向上させているものの、ハンギングレールに対して、側板や仕切り板をその後端切欠き部でのみ係止吊下げしており、このように吊下げられた側板に棚板を取付けていることから、側板や仕切り板の後端部の係止吊下げ位置に荷重負荷が集中し、強度において大きく制約されているという問題があった。
【特許文献１】特開２０００−２３７６３号公報
【特許文献２】特開２０００−７９０２７号公報
【特許文献３】特開平１１−３４６８４４号公報
【発明の開示】
【発明が解決しようとする課題】
【０００６】
本発明は、以上のとおりの背景から、ハンギングレールを用いる収納装置の問題点を改善し、収納装置としての強度の保持においても良好な、組み立て容易性と収納空間の可変性をも備えた新しい収納装置を提供することを特徴としている。
【課題を解決するための手段】
【０００７】
本発明の収納装置は、上記の課題を解決するものとして、以下のことを特徴としている。
【０００８】
第１：壁面に対して床面と平行に取付けられて水平固定された複数のハンギングレール材とこれに固定される棚板並びに棚板に係止される側板もしくは仕切り板とを備え、ハンギングレール材の前方より棚板後端部の係合金具が差込まれて棚板がハンギングレール材に引掛け固定され、棚板の側端部においてのみ側板もしくは仕切り板が取付け係止されている収納装置。
【０００９】
第２：棚板に埋設された連結部と側板もしくは仕切り板の穴部に取付けられた連結具とにより、棚板側端部において側板もしくは仕切り板が取付け係止されている上記の収納装置。
【発明の効果】
【００１０】
上記のとおりの第１の発明によれば、ハンギングレールを用いる従来の収納装置の問題点を改善し、幅広や複数箇所設置の係合金具をもって棚板をハンギングレール材の水平方向に渡って取付け係合させ、ハンギングレール、あるいはハンギングレールとこれに挟まれている化粧板等からなる背板部には係合させずにこの棚板にのみ側板や仕切り板を取付け係止する構造とすることで、負荷荷重の分散させて収納装置全体としての強度の保持性を良好としている。しかも、接着剤を使用することなく、組み立て容易性と収納空間の可変性をも備えた収納装置とする。
【００１１】
また、第２の発明によれば、棚板への側板や仕切り板の取付けを確実なものとし、そして取付けだけでなく取外しによる位置変更もさらに容易としている。
【発明を実施するための最良の形態】
【００１２】
本発明は上記のとおりの特徴をもつものであるのであるが以下にその実施の形態について説明する。
【００１３】
添付した図１は、ハンギングレール材と棚板との引掛けについてその一実施形態を例示した部分断面図である。たとえばこの図１に示したように、壁面１に対して床面に平行にビスやボルト２等によりハンギングレール材３が取付けられて水平固定される。そして、このハンギングレール材３は、壁面１に対して複数が同様に取付け固定される。
【００１４】
ハンギングレール材３には、上記のビスやボルト２等による壁面への固定のための挿入穴や固定用穴等の壁面固定部３１と、棚板４の端部に装着される係合金具４１をもっての棚板４の引掛けのための引掛け係合部３２とを有している。
【００１５】
ハンギングレール材３の引掛け係合部３２と棚板４の装着の係合金具４１とは、引掛け係合時に、棚板４がガタつかずに水平状態に安定に静止されるようにその形状、構造が定められる。図１の例えば、ハンギングレール材３の引掛け係合部３２は、上端が閉止されている上方への湾曲溝部が設けられており、これに対応して棚板４装着の係合金具４１は屈曲片部を有し、これが上記の湾曲溝部に挿入されて引掛け係合されるようにしている。棚板４は、図中の矢印方向に、その端部を回し込むように操作することで引掛け固定されることになる。すなわち、ハンギングレール材３の前方より棚板４後端部に装着されている係合金具４１がハンギングレール材３の引掛け係合部３２に差込まれて棚板４がハンギングレール材３に引掛け固定される。
【００１６】
もちろん、ハンギングレール材３、そして棚板４の係合金具は図１の例に限られることなく、その断面形状や長さ、大きさ、そして細部の構造は適宜であってよい。
【００１７】
また、本発明の収納装置では、壁面１の前面に位置するようにたとえば図１にも示したが、棚板４の間に化粧板５を配設してもよい。化粧板５はハンギングレール３とともに背板部を構成することになるが、このものは、たとえば図１の例のように、ハンギングレール材３の化粧板固定片３３をその上端部に埋設したり、ビスや接着剤等により取付け固定してもよいし、あるいはこのものにハンギングレール材３に引掛け固定してもよい。なお、壁面１の状態や意匠、あるいは本発明の収納装置の使用目的等によってはこのような化粧板５はなくてもよい。
【００１８】
そして本発明の収納装置においてはその特徴として、たとえば上記のようにしてハンギングレール材３に引掛け固定された棚板４の側端部においてのみ側板もしくは仕切り板が取付け係止される。つまり、側板や仕切り板はハンギングレール材３、あるいはハンギングレール材３と化粧板５からなる背板部には一切取付け係止されることなく、棚板４の側端部にのみ取付けられる。
【００１９】
このための構造は各種であってよいが、本発明においては、たとえば図２に（ａ）（ｂ）に棚板４４の上方からの落込みタイプと横方向からの挿入タイプとして例示したように、棚板４の側端部下面に埋設された連結部４２と側板６もしくは仕切り板の穴部６１に取付けられた連結具６２とにより緊結されるようにする。
【００２０】
上記の例では、図３にも示したが、内部にカム機構を有し、ドライバー８の回転で、連結具６２の頭部を把持またはその解除を自在とした連結具４２が棚板４に埋設されている。この棚板４の連結具４２と側板６もしくは仕切り板の連結具６２との緊結によって、側板６もしくは仕切り板は棚板４の側端部においてしっかりと強固に取付け係止されるようにしている。そして上記の例おいては、取付け係止の状態を解消し、棚板４の配置位置を変更することも容易である。
【００２１】
たとえば以上のような構成を特徴とする本発明の収納装置については、負荷荷重の分散させて収納装置全体としての強度の保持性を良好とし、しかも、接着剤を使用することなく、組み立て容易性と収納空間の可変性をも備えた収納装置とすることができることから、様々な全体システムを有する収納装置を簡便に、利便性の良好なものとして構成することができる。
【００２２】
たとえば、図４（ａ）（ｂ）（ｃ）（ｄ）のように、左右の側板６と複数の仕切り板７とを備え、扉９を持つ面と開放面とを適宜に組合わせたレイアウトのバリエーションが可能とされる。これらは収納空間の変更も容易である。
【００２３】
もちろん、本発明は以上の例示に限定されることはなく、様々な細部の形態が可能であることは言うまでもない。
【図面の簡単な説明】
【００２４】
【図１】ハンギングレール材への棚板の引掛け固定について例示した部分断面概要図である。
【図２】（ａ）（ｂ）は、棚板への側板の取付けのためのタイプを例示した断面概要図である。
【図３】連結部と連結具、その係止について例示した斜視概要図である。
【図４】（ａ）（ｂ）（ｃ）（ｄ）は、収納装置のレイアウトを例示した正面概要図である。
【符号の説明】
【００２５】
１  壁面
２  ビス、ボルト
３  ハンギングレール材
３１  壁面固定部
３２  引掛け係合部
３３  化粧板固定片
４  棚板
４１  係合金具
４２  連結部
５  化粧板
６  側板
６１  穴部
６２  連結具
７  仕切り板
８  ドライバー
９  扉を持つ面
１０  開放面
【図１】
2007289418.tif 000003
【図２】
2007289418.tif 000004
【図３】
2007289418.tif 000005
【図４】
2007289418.tif 000006